(57)【要約】【課題】人検知手段を利用して、入浴時の風呂温度の適温化を達成することで、快適性と利便性の向上を実現する給湯機を提供すること。【解決手段】浴槽６８と、前記浴槽６８の湯水を加熱する風呂熱交換器７３と、前記浴槽６８と前記風呂熱交換器７３とを接続し循環ポンプ７７が配された風呂循環管路６９と、前記浴槽６８の湯水の温度を検出する浴槽温度検出手段７８と、浴室内の人の存在の検知する人検知手段８１と、前記浴槽の湯水の温度を設定する浴槽温度設定手段８３と、制御手段８２とを備え、前記人検知手段８１が人を検出したとき、前記浴槽温度設定手段８３で設定された設定温度よりも高い温度の湯を、前記風呂循環管路６９に注湯するとともに、前記循環ポンプ７７を駆動させることを特徴とする給湯機。【選択図】図１
2013064523.tif 000002
【特許請求の範囲】
【請求項１】
浴槽と、前記浴槽の湯水を加熱する風呂熱交換器と、前記浴槽と前記風呂熱交換器とを接続し循環ポンプが配された風呂循環管路と、前記浴槽の湯水の温度を検出する浴槽温度検出手段と、浴室内の人の存在の検出する人検知手段と、前記浴槽の湯水の温度を設定する浴槽温度設定手段と、制御手段とを備え、前記人検知手段が人を検知したとき、前記浴槽温度設定手段で設定された設定温度よりも高い温度の湯を、前記風呂循環管路に注湯するとともに、前記循環ポンプを駆動させることを特徴とする給湯機。
【請求項２】
高温水を貯湯する貯湯槽と、前記貯湯槽から高温水と水とを混合する混合弁とを備え、前記混合弁にて所定温度に調整した湯水を、前記風呂循環管路に注湯することを特徴とする請求項１に記載の給湯機。
【請求項３】
前記浴槽の湯水の温度が所定温度になるように、前記循環ポンプの回転数を制御することを特徴とする請求項１または２に記載の給湯機。
【発明の詳細な説明】
【技術分野】
【０００１】
本発明は、人を検出したときに風呂の追い焚きを行う機能を持った給湯機に関するものである。
【背景技術】
【０００２】
従来、この種の給湯機として、浴室に人を検出したときに浴槽に高温の湯を注湯することで風呂の追い焚きを行う風呂追い焚き機能を持ったものがある（例えば、特許文献１参照）。
【０００３】
図６は、前記公報に記載された従来の給湯機を示すものである。この給湯機は、人検知手段８１が浴室８０に入ってきた人を検出すると、風呂注湯弁６６を開いて、風呂の設定温度よりも高い注湯温度の湯（例えば５５℃）を浴槽６８に所定量の注湯を行う。
【０００４】
そして、この所定量の注湯が終了したら、風呂注湯弁６６を閉じ、熱源側循環ポンプ７６と利用側循環ポンプ７７とを駆動し、貯湯槽５７の高温の湯と浴槽６８との湯を風呂熱交換器７３で熱交換させることによって、風呂追い焚きを行い、浴槽６８の温度が所定の温度になれば、熱源側循環ポンプ７６と利用側循環ポンプ７７とを停止し、風呂追い焚きを終了するように構成したものである。
【先行技術文献】
【特許文献】
【０００５】
【特許文献１】特開２０１０−１９５０１号公報
【発明の概要】
【発明が解決しようとする課題】
【０００６】
しかしながら、前記従来の構成では、次のような課題を有していた。一般的に、風呂の追い焚きは、貯湯槽５７の高温の湯と浴槽６８との湯を風呂熱交換器７３で熱交換させることによって行うことが多い。
【０００７】
これに対して、図６の従来例のように、高温の湯を浴槽に注湯すれば、早く浴槽６８の温度を上げることが可能であるが、注湯した湯量だけ浴槽の湯量が増える。注湯する温度は、高いほど浴槽の温度を早く上げることができ、かつ、注湯する湯量も少ない。しかし、浴槽に入っている人が注湯された湯を熱く感じたりしないように、通常、注湯温度は６０℃以下（従来例では５５℃）にする場合が多い。
【０００８】
この程度の湯温の場合、短時間のうちに、人が続けて入浴した場合、注湯が続くので、浴槽の湯量が多くなりすぎる場合がある。場合によっては、適量の湯量よりもかなり多くなり、浴槽６８の水位が上昇し浴槽に浸かりにくかったりして快適性に課題が生じる場合がある。また、浴槽の容量が比較的小さい場合、人が浴槽に浸かった時に浴槽から湯が溢れ出ることも予測され、湯が無駄になるという課題も生じる。
【０００９】
さらに、注湯する湯は、貯湯槽５７上部の高温の湯と低温の給水とを混合する。この低温の給水量が増えれば増えるほど（注湯温度が低ければ低いほど）、給水される水を、上昇させたい風呂温度まで上げる熱量に使われるため、実際に、浴槽の温度を上げるために使われる熱量の割合が減少する。
【００１０】
つまり、注湯温度が低ければ、貯湯槽５７から持ち出した熱量のうち、有効に使われる
割合が減少するので、貯湯槽５７から持ち出される高温の湯量が多くなり、湯切れする場合があり利便性に課題が生じる場合がある。
【００１１】
本発明は上記課題を解決するもので、人検知手段を利用して、入浴時の風呂温度の適温化を達成することで、快適性と利便性の向上を実現する給湯機を提供することを目的とする。
【課題を解決するための手段】
【００１２】
前記従来の課題を解決するために、本発明の給湯機は、浴槽と、前記浴槽の湯水を加熱する風呂熱交換器と、前記浴槽と前記風呂熱交換器とを接続し循環ポンプが配された風呂循環管路と、前記浴槽の湯水の温度を検出する浴槽温度検出手段と、浴室内の人の存在の検知する人検知手段と、前記浴槽の湯水の温度を設定する浴槽温度設定手段と、制御手段とを備え、前記人検知手段が人を検知したとき、前記浴槽温度設定手段で設定された設定温度よりも高い温度の湯を、前記風呂循環管路に注湯するとともに、前記循環ポンプを駆動させることを特徴とするものである。
【００１３】
これにより、貯湯槽からの高温の湯は、風呂循環管路にて浴槽からの湯と混合して温度を下げてから、浴槽に入るため、浴槽に入る湯温を安全な温度（６０℃以下）に設定しても、注湯温度をこの安全な温度以上の高温にできることから、注湯量を少なくすることができるため、浴槽湯量の増加が少なくなり、快適性の向上となると共に、貯湯槽から流出される高温の湯量も減るので、湯切れの発生の可能性も減少し利便性の向上となる。
【発明の効果】
【００１４】
本発明によれば、人検知手段を利用して、入浴時の風呂温度の適温化を達成することで、快適性と利便性の向上を実現する給湯機を提供できる。
【図面の簡単な説明】
【００１５】
【図１】本発明の実施の形態１における給湯機の構成図
【図２】同給湯機の風呂循環管路の放熱特性を示す特性図
【図３】同給湯機の注湯温度に対する必要注湯量及び貯湯槽から出る高温湯量を示す特性図
【図４】同給湯機の注湯温度に対する混合湯量における注湯量の割合を示す特性図
【図５】同給湯機の他の給湯機の構成図
【図６】従来の給湯機の構成図
【発明を実施するための形態】
【００１６】
第１の発明は、浴槽と、前記浴槽の湯水を加熱する風呂熱交換器と、前記浴槽と前記風呂熱交換器とを接続し循環ポンプが配された風呂循環管路と、前記浴槽の湯水の温度を検出する浴槽温度検出手段と、浴室内の人の存在の検知する人検知手段と、前記浴槽の湯水の温度を設定する浴槽温度設定手段と、制御手段とを備え、前記人検知手段が人を検知したとき、前記浴槽温度設定手段で設定された設定温度よりも高い温度の湯を、前記風呂循環管路に注湯するとともに、前記循環ポンプを駆動させることを特徴とする給湯機である。
【００１７】
これにより、貯湯槽からの高温の湯は、風呂循環管路にて浴槽からの湯と混合して温度を下げてから、浴槽に入るため、浴槽に入る湯温を安全な温度（６０℃以下）に設定しても、注湯温度をこの安全な温度以上の高温にできることから、注湯量を少なくすることができるため、浴槽湯量の増加が少なくなり、快適性の向上となると共に、貯湯槽から流出される高温の湯量も減るので、湯切れの発生の可能性も減少し利便性の向上となる。
【００１８】
第２の発明は、高温水を貯湯する貯湯槽と、前記貯湯槽から高温水と水とを混合する混合弁とを備え、前記混合弁にて所定温度に調整した湯水を、前記風呂循環管路に注湯することを特徴とするもので、注湯時に貯湯槽の温度が変化しても、直接、注湯温度を調整することができるので、浴槽に入る温度を安定して調整でき、快適性の効果をより大きくすることが出来る。
【００１９】
第３の発明は、前記浴槽の湯水の温度が所定温度になるように、前記循環ポンプの回転数を制御することを特徴とするものである。
【００２０】
これにより、冬季など給湯機と浴槽を接続する風呂循環管路内の湯の温度低下が大きい時でも、浴槽からの循環量を調整できるので、冷たい温度の湯が浴槽に入ることを少なくすることができ、快適性の効果をより大きくすることが出来る。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における給湯機の構成図である。図１において、給湯機の熱源である加熱手段は、圧縮機５１、給湯熱交換器５２、減圧装置５３および大気熱を吸熱する蒸発器５４からなるヒートポンプサイクルを構成したヒートポンプユニット５５である。そして、高圧側の冷媒圧力が臨界圧力以上となる二酸化炭素を冷媒とする。
【００２３】
貯湯ユニット５６に収納された貯湯槽５７への給水は貯湯槽５７下部に接続された給水管５８を通ってなされ、貯湯槽５７上部の高温の湯は出湯管５９を通り給湯混合弁６０で給水と混合することによって所定の温度の湯にしてから給湯管６１を通って端末（蛇口６２）から給湯される。
【００２４】
また、貯湯槽５７の下部から循環ポンプ６３，給湯熱交換器５２および貯湯槽５７の上部を順次接続する沸き上げ回路を構成することによって、貯湯槽５７から循環ポンプ６３で送られてきた水は前記給湯熱交換器５２で冷媒熱により加熱されて貯湯槽５７の上から貯湯される。６４は沸き上げ温度検出手段であり、ヒートポンプ熱源で加熱した湯温を検出するため給湯熱交換器５２の水側の出口に設けられている。
【００２５】
また、前記出湯管５９から分岐し、風呂給湯混合弁６５と風呂注湯弁６６とを備えた浴槽注湯管路６７は、後述する利用側水回路７５の途中に設けた接続口５０に接続され、風呂往き配管７０と風呂戻り配管７１によって、浴槽６８と接続されている。また、利用側水回路７５の接続口５０の下流側には注湯された湯と利用側循環ポンプ７７で送られてきた浴槽の湯とが混合した後の湯の温度を検出する混合温度検出手段９０が設けられている。さらに、風呂循環管路６９は、利用側水回路７５と風呂往き配管７０と風呂戻り配管７１とからなっている。
風呂加熱手段７２は、水−水熱交換器である風呂熱交換器７３と、それに接続された熱源側水回路７４と利用側水回路７５と、この熱源側、利用側水回路７４、７５にそれぞれ設けられた熱源側循環ポンプ７６と利用側循環ポンプ７７などからなる。そして、熱源側水回路７４は、貯湯槽５７の上部と下部とに接続され、利用側水回路７５は風呂往き配管７０と風呂戻り配管７１とに接続されている。
【００２６】
また、利用側水回路７５には、浴槽６８の温度を検出する浴槽温度検出手段７８と浴槽６８の水位を検出する浴槽水位検出手段７９とが設けられている。浴槽６８の加熱は、熱源側循環ポンプ７６で貯湯槽５７から風呂熱交換器７３に送られてきた高温の温水と、利用側循環ポンプ７７で浴槽６８から風呂熱交換器７３に送られてきた水又は温水とが熱交
換することによって行われる。
【００２７】
また、浴室８０には浴室内の人を検出する人検知手段８１を設ける。さらに、制御手段８２は浴室８０内に設けた人検知手段８１が人を検出した場合、浴槽６８の温度を設定する浴槽温度設定手段８３で設定された温度よりも高い温度の湯を注湯するように風呂給湯混合弁６５と風呂注湯弁６６を制御する。
【００２８】
また給湯混合弁６０で混合した給湯温度を検出する給湯温度検出手段８４を給湯混合弁６０の混合出口側に設け、風呂給湯混合弁６５で混合した風呂給湯温度を検出する風呂給湯温度検出手段８５を風呂給湯混合弁６５の混合出口側に設ける。さらに、８６ａ、８６ｂ、８６ｃは貯湯槽５７の上下方向の異なる位置に取り付けられた残湯温度検出手段８６であり、貯湯槽５７の上下の異なる位置の温度を検出する。なお、人検知手段８１としては、赤外線センサなどがある。
【００２９】
以上のように構成された給湯機について、以下にその動作、作用を説明する。図１において、先ず、給湯加熱運転について説明する。いま、貯湯槽５７を沸き上げる要求（図示せず）があると、ヒートポンプユニット５５で大気熱を利用した給湯加熱運転を行う。
【００３０】
この場合、圧縮機５１から吐出された臨界圧力以上の高温高圧の冷媒が給湯熱交換器５２に流入し、ここで貯湯槽５７の下部から送られてきた水と熱交換し放熱した後、減圧装置５３で減圧し、さらに、蒸発器５４で大気から熱を吸熱し、ガス化して圧縮機５１に戻る。
【００３１】
この時、給湯熱交換器５２に流入する貯湯槽５７の下部から送られてきた水は、給湯熱交換器５２の出口での温度が所定温度となるように循環ポンプ６３の回転数を制御することによって、所定の温度の湯が貯湯槽５７の上部から流入し貯湯される。
【００３２】
次に、浴槽６８の温度を検出する浴槽温度検出運転について説明する。この運転は、利用側循環ポンプ７７を駆動し、浴槽６８の湯を貯湯ユニット５６との間で循環させる。そして、ある一定の時間（例えば１分間）循環させた後に、浴槽６８の湯の温度を浴槽温度検出手段７８によって検出する。
【００３３】
この検出した温度が、浴槽温度設定手段８３で設定された温度から決まり、前記設定温度よりも低い風呂追い焚き開始温度よりも低ければ、浴槽温度検出運転を終了し、次の風呂追い焚き運転に移行する。一方、検出した温度が、前記風呂追い焚き開始温度以上であれば浴槽温度検出運転を終了し、次の浴槽温度検出運転まで待機する。
【００３４】
次に、浴槽６８の加熱運転である風呂追い焚き運転について説明する。使用者が希望する浴槽の温度は浴槽温度設定手段８３で行う。一般的に、給湯機のリモコンを浴室８０や台所（図示せず）に設置し、浴室８０に設置した浴室リモコン８７に前記浴槽温度設定手段８３を設ける構成とすることが多い。
【００３５】
なお、台所に設置した台所リモコン（図示せず）に前記浴槽温度設定手段８３を設けてもよい。前述したように、浴槽温度検出手段７８によって検出した温度が、前記風呂追い焚き開始温度よりも低ければ、風呂追い焚き運転を行う。
【００３６】
すなわち、熱源側循環ポンプ７６と利用側循環ポンプ７７をと駆動する。利用側循環ポンプ７７によって浴槽６８から送られてきた湯は、熱源側循環ポンプ７６によって送られてきた貯湯槽５７上部の高温の湯と風呂熱交換器７３で熱交換して加熱され温度上昇して浴槽６８に戻る。
【００３７】
一方、風呂熱交換器７３で浴槽６８からの湯を加熱した貯湯槽５７からの高温の湯は、温度低下し４０から５０℃程度の中温湯になって、貯湯槽５７の下部に戻る。このとき、浴槽温度検出手段７８は、利用側循環ポンプ７７の駆動によって送られてきた浴槽６８の湯の温度を検出する。
【００３８】
そして、この検出した温度が、浴槽温度設定手段８３で設定された温度から決まり、前記設定温度かまたは設定温度より高い風呂追い焚き停止温度よりも低ければ、そのまま風呂追い焚き運転を続ける。そして、検出した温度が、前記風呂追い焚き停止温度以上になれば、風呂追い焚き運転を終了する。
【００３９】
なお、風呂追い焚き開始温度と風呂追い焚き停止温度は次のように決めればよい。浴槽６８の温度を１℃程度に制御したいときは、浴槽温度設定手段８３で設定した設定温度に対して、風呂追い焚き開始温度を（設定温度−１℃）とし、風呂追い焚き停止温度を（設定温度）とすればよい。
【００４０】
また、浴槽６８の温度を０．５℃程度に制御したいときは、浴槽温度設定手段８３で設定した設定温度に対して、風呂追い焚き開始温度を（設定温度−０．５度）とし、風呂追い焚き停止温度を（設定温度）とすればよい。
【００４１】
次に、浴槽６８に適量を湯張りし、その後、所定の時間、浴槽６８の保温運転を行う浴槽自動運転について説明する。このとき、希望の浴槽温度や浴槽の湯量や保温時間を設定することができる。使用者が希望する浴槽の温度や浴槽の湯量や保温時間は、それぞれ浴槽温度設定手段８３、浴槽湯量設定手段８８、保温時間設定手段８９で行う。
【００４２】
一般的に、給湯機のリモコンを浴室８０や台所（図示せず）に設置し、浴室８０に設置した浴室リモコン８７に前記浴槽温度設定手段８３や浴槽湯量設定手段８８や保温時間設定手段８９を設ける構成とすることが多い。
【００４３】
なお、台所に設置した台所リモコン（図示せず）にこれらの設定手段８３、８８、８９を設けてもよい。また、人検知手段８１は単独の設置でもよいが、図１に示すように、浴室リモコン８７内に設けた構成としてもよい。この場合、人検知手段８１と浴室リモコン８７とを別々に設置する必要がないので、工事性がよくなる利点がある。
【００４４】
浴槽自動運転が開始されると、浴槽温度設定手段８３と浴槽湯量設定手段８８で設定された温度と湯量となるように、貯湯槽５７から浴槽６８へ注湯することによって浴槽６８に湯張りを行う。
【００４５】
すなわち、制御手段８２は、風呂注湯弁６６を開いて、注湯を開始する。そして、浴槽６８の温度が浴槽温度設定手段８３で設定された温度になるように、風呂給湯温度検出手段８５からの信号に基づいて、風呂給湯混合弁６５の混合割合を制御する。浴槽水位検出手段７９で検出した水位が、浴槽湯量設定手段８８で設定された湯量の相当する水位になれば、制御手段８２は、この注湯動作である湯張りを終了する。その後、保温時間設定手段８９で設定された時間に応じて、浴槽６８の温度が低下すれば浴槽６８を風呂追い焚きすることによって、保温運転を行う。
【００４６】
先ず、浴室８０にいない場合について説明する。人検知手段８１は、浴室８０に人を検出しないので、制御手段８２は、時間間隔ｔ（例えば、１５分間隔）毎に浴槽温度検出運転を行い、浴槽６８の温度が低くなれば、風呂追い焚き運転を行う。このときの動作は、図６で示す従来例の場合と同様である。
【００４７】
すなわち、制御手段８２は、利用側循環ポンプ７７を駆動して浴槽６８の湯を貯湯ユニット側に循環させて、  浴槽温度検出手段７８で浴槽６８の温度を検出する。この検出された浴槽６８の温度が風呂追い焚き開始温度よりも高ければ風呂追い焚きは行わないので、制御手段８２は利用側循環ポンプ７７を停止し、次の浴槽温度検出運転まで待機する。
【００４８】
反対に、この検出した浴槽６８の温度が、風呂追い焚き開始温度よりも低ければ風呂追い焚きを行う。すなわち、制御手段８２は、熱源側循環ポンプ７６と利用側循環ポンプ７７とを駆動し、風呂追い焚きを行うとともに、浴槽温度検出手段７８で浴槽６８の温度を検出する。浴槽６８の温度が上昇し、浴槽温度検出手段７８の検出温度が、風呂追い焚きを終了する温度である風呂追い焚き停止温度以上になれば、制御手段８２は熱源側循環ポンプ７６と利用側循環ポンプ７７とを停止し、風呂追い焚き運転を終了し、次の浴槽温度検出運転まで待機する。
【００４９】
次に、浴室８０に人が居る場合について説明する。浴室８０に人が入ってきたら、人検知手段８１は人を検出する。そして、人検知手段８１からの検出信号を受けて、制御手段８２は、入浴者が希望の風呂温度として、浴槽温度設定手段８３で設定した設定温度よりも高い温度の湯を注湯すると共に、浴槽６８の湯を循環させる。
【００５０】
すなわち、制御手段８２は、風呂注湯弁６６を開き、さらに、利用側循環ポンプ７７を駆動する。このとき、注湯された湯と利用側循環ポンプ７７で送られてきた浴槽６８の湯とが混合した後の湯の温度が、所定の混合温度（例えば６０℃）になるように、混合温度検出手段９０からの信号に基づいて、風呂給湯混合弁６５での混合割合（貯湯槽５７上部の湯と給水管５８からの水との混合）を制御する。
【００５１】
ここで、浴槽温度設定手段８３で設定された設定温度（例えば４０℃）近傍まで加熱するため、前記所定の混合温度（例えば６０℃）はこの設定温度（例えば４０℃）よりも高い温度であり、さらに、風呂給湯混合弁６５で制御されて注湯される湯の温度は、この所定の混合温度（例えば６０℃）よりも高い温度である。
【００５２】
そして、浴槽６８の温度を検出する浴槽温度検出手段７８が、所定の注湯終了温度（例えば、設定温度−０．５℃）に達したら、風呂注湯弁６６を閉じて注湯を終了する。さらに、制御手段８２は、熱源側循環ポンプ７６を駆動し、風呂追い焚き運転を行うとともに、浴槽温度検出手段７８で浴槽６８の温度を検出する。
【００５３】
浴槽６８の温度が上昇し、浴槽温度設定手段８３で設定した浴槽温度から決まる風呂追い焚き終了温度（例えば、設定温度）になれば、風呂追い焚き運転を終了する。すなわち、制御手段８２は、熱源側循環ポンプ７６と利用側循環ポンプ７７の駆動を停止する。
【００５４】
次に、注湯温度と必要な注湯量及びそのときに貯湯槽の上部から持ち出される高温の湯量の関係について説明する。風呂を加熱するときの負荷としては、浴槽６８の湯と、浴槽６８と貯湯ユニット５６とを接続する風呂循環管路６９中にある湯とがある。図２は、横軸に時間をとり、縦軸に温度をとって、周囲温度７℃のときの時間に対する風呂循環管路６９中にある湯の温度変化を示したものである。
【００５５】
同図に示す風呂循環管路６９の特性は、一般に使用されている１０ｍｍの厚みの断熱材で保温された内径１３ｍｍの架橋ポリエチレン管を用いた場合で、実験によって求めた特性である。同図からわかるように、１５分間で９℃の温度低下がある。風呂循環管路６９の長さを１０ｍとすると、風呂循環管路６９の内容積は２．６５Ｌとなる。浴槽６８の湯量は２００Ｌとし、風呂温度が設定温度４０℃から冷えて３９℃となり、この状態から風
呂を加熱するものとする。
【００５６】
すなわち、先ず、注湯することで、３９℃の風呂温度を３９．５℃になるように昇温するものとする。次に、３９．５℃から４０℃までの昇温は、風呂追い焚き運転で説明したように、浴槽６８から送られてきた湯と、貯湯槽５７上部の高温の湯とを風呂熱交換器７３で熱交換させることによって行う。
【００５７】
注湯時に給水管５８から給水される温度を９℃とし、貯湯槽５７上部の高温湯の温度を８５℃とすると、注湯は、貯湯槽５７上部の８５℃の高温湯と給水管５８から給水される９℃の水とを風呂給湯混合弁６５で所定の注湯温度になるように混合して行われる。
【００５８】
図３は、上記条件において、３９℃、２００Ｌの浴槽６８の湯を、注湯によって、３９．５℃にするための注湯特性を示したものである。すなわち、横軸に注湯温度をとり、縦軸に湯量をとって、注湯温度に対する必要な注湯量及びそのときに貯湯槽の上部から持ち出される高温の湯量の関係を熱量計算によって求めたものである。
【００５９】
同図からわかるように、注湯温度が６０℃の場合、注湯量及び貯湯槽の上部から持ち出される高温の湯量は、それぞれ、約６Ｌ、４Ｌであり、注湯温度が８０℃の場合は、それぞれ、３Ｌ、２．８Ｌである。この注湯量が浴槽６８に入り、浴槽６８の湯量を増加させ、浴槽６８の水位を上昇させることになる。浴槽６８の湯量の増加量は、６０℃の注湯に対して、８０℃の場合は、約半分になる（６Ｌが３Ｌになる）。
【００６０】
貯湯槽の上部から持ち出される高温の湯量は、６０℃の注湯に対して、８０℃の場合は、約７０％になる（４Ｌが２．８Ｌになる）。従来例のように注湯温度が５５℃と８０℃を比較した場合は、更にその差は大きくなる。
【００６１】
このように、注湯温度が高い方が、浴槽６８の湯量増加や貯湯槽５７の上部から持ち出される高温の湯量を少なくすることができる。しかし、高温の湯をそのまま浴槽６８に入れたのでは、浴槽６８に入っている人に熱い湯が当たり、不快に感じる場合があるので、通常、浴槽６８に入る湯の温度を６０℃以下にしている。
【００６２】
そこで、上記で説明したように、高温の注湯された湯と浴槽６８からの湯と混合させることによって、高温の注湯された湯の温度を下げてから、浴槽６８に入れるようにすれば良い。
【００６３】
今、浴槽６８の湯の温度を３９．５℃として、この浴槽６８からの湯と注湯された湯と混合してから浴槽６８に入る湯の６０℃とした場合、注湯温度に対する前述混合した湯量に占める注湯量の割合を、熱量計算して求めたものが図４である。
【００６４】
同図において、注湯された湯と浴槽から循環してきた湯との混合湯量に対する注湯量の割合をＲ１とした場合、注湯温度をＴ１℃にすれば、混合温度は６０℃になる。実際の動作としては、前述したように、所定の混合温度（例えば６０℃）になるように、混合温度検出手段９０からの信号に基づいて、風呂給湯混合弁６５での混合割合（貯湯槽５７上部の湯と給水管５８からの水との混合）を制御することで、このときの混合湯量に対する注湯量の割合に応じた注湯温度Ｔ１となる。
【００６５】
このように、浴室８０に人が入ってきたことを検出したら、注湯を開始すると共に利用側循環ポンプを駆動することによって、貯湯槽５７からの高温の湯を風呂給湯混合弁６５で適当な温度にして注湯した湯と、浴槽６８からの湯とを混合してから浴槽６８に入れるため、浴槽６８に入れる湯温を安全な温度（６０℃以下）にしても注湯温度をこの安全な
温度以上の高温にできるので、注湯量を少なくすることができるため浴槽湯量の増加が少なくなり快適性の向上となる。
【００６６】
また、貯湯槽５７から持ち出される高温の湯量も減るので湯切れの発生の可能性も減少するので利便性の向上となる。特に、注湯時に貯湯槽５７の温度が変化しても、直接、注湯温度を制御することができるので、浴槽６８に入る温度を安定して調整でき、快適性の効果をより大きくすることが出来る。
【００６７】
図１の構成よりもより広い条件で同様な作用効果を得るために、図５に示すように、図１の浴槽注湯管路６７の途中に、流量制御装置９１を設ける構成にしても良い。この流量制御装置９１は浴槽注湯管路６７を流れる注湯流量を調整するもので、流路断面積（図示せず）を変えて流路抵抗を変化させて、注湯流量を制御する。
【００６８】
給湯機の設置の場所や状態によっては、給水管５８からの給水圧力が高い時や、風呂循環管路６９が長く利用側循環ポンプ７７による浴槽６８からの循環流量が少ない時に、風呂給湯混合弁６５を制御しても前述した所定の混合温度（例えば６０℃）にできないことがある。
【００６９】
このときは、流量制御装置９１で浴槽注湯管路６７を流れる注湯量を少なくして、風呂給湯混合弁６５を制御すれば、所定の混合温度（例えば６０℃）にすることができる。このような構成にしても、図１の場合と同様な効果が得られる。
【００７０】
なお、図１及び図５では、接続口５０を利用側循環ポンプ７７の下流（吐出）側に設けた構成としたが、接続口５０を利用側循環ポンプ７７の上流（吸入）側に設けた構成にしても良い。この場合も、図１、図５と同様の作用、効果が得られる。
【００７１】
以上は、風呂給湯混合弁６５によって注湯温度を制御することによって、注湯された湯と浴槽６８からの湯とが混合した後の湯の温度を、所定の混合温度（例えば６０℃）になるようにした。これに対して、注湯温度を一定として、浴槽６８からの湯量を制御することによっても、同様の作用、効果が得られる。
【００７２】
図４に示すように、注湯温度がＴ２の場合、注湯された湯と浴槽６８から循環してきた湯との混合湯量に対する注湯量の割合をＲ２とすればよい。すなわち、浴室８０に人が入ってきたら、人検知手段８１は人を検出する。
【００７３】
そして、人検知手段８１からの検出信号を受けて、制御手段８２は、入浴者が希望の風呂温度として、浴槽温度設定手段８３で設定した設定温度よりも高い温度の湯を注湯すると共に、浴槽６８の湯を循環させる。
【００７４】
すなわち、制御手段８２は、風呂注湯弁６６を開き、さらに、所定の初期回転数で利用側循環ポンプ７７を駆動する。そして、注湯された湯と利用側循環ポンプ７７で送られてきた浴槽６８の湯とが混合した後の湯の温度が、所定の混合温度（例えば６０℃）になるように、混合温度検出手段９０からの信号に基づいて、利用側循環ポンプ７７の回転数を調整して循環量を制御する。
【００７５】
ここで、浴槽温度設定手段８３で設定された設定温度（例えば４０℃）近傍まで加熱するため、前記所定の混合温度（例えば６０℃）はこの設定温度（例えば４０℃）よりも高い温度であり、さらに、風呂給湯混合弁６５で制御されて注湯される湯の温度は、この所定の混合温度（例えば６０℃）よりも高い温度である。
【００７６】
そして、浴槽６８の温度を検出する浴槽温度検出手段７８が、所定の注湯終了温度（例えば、設定温度−０．５℃）に達したら、風呂注湯弁６６を閉じて注湯を終了し、さらに、所定の混合温度（例えば６０℃）になるように、混合温度検出手段９０からの信号に基づいて、利用側循環ポンプ７７の回転数を調整していた循環量の制御も終了する。
【００７７】
さらに、制御手段８２は、熱源側循環ポンプ７６と利用側循環ポンプ７７とを駆動し、風呂追い焚き運転を行うとともに、浴槽温度検出手段７８で浴槽６８の温度を検出する。浴槽６８の温度が上昇し、浴槽温度設定手段８３で設定した浴槽温度から決まる風呂追い焚き終了温度（例えば、設定温度）になれば、風呂追い焚きを終了する。すなわち、制御手段８２は、熱源側循環ポンプ７６と利用側循環ポンプ７７の駆動を停止する。
【００７８】
このように、浴室８０に人が入ってきたことを検出したら、注湯を開始すると共に利用側循環ポンプ７７を駆動することによって、貯湯槽５７からの高温の湯を、浴槽６８からの湯と適当な混合割合にしてから浴槽６８に入れるため、浴槽６８に入れる湯温を安全な温度（６０℃以下）にしても注湯温度をこの安全な温度以上の高温にできるので、注湯量を少なくすることができるため浴槽湯量の増加が少なくなり快適性の向上となる。
【００７９】
また、貯湯槽５７から持ち出される高温の湯量も減るので湯切れの発生の可能性も減少し利便性の向上となる。特に、冬季など給湯機と浴槽を接続する風呂循環管路内の湯の温度低下が大きい時でも、浴槽６８からの循環量を調整できるので、冷たい温度の湯が浴槽６８に入ることを少なくすることができ、快適性の効果をより大きくすることが出来る。
【００８０】
前述したように、図１の構成よりもより広い条件で同様な作用効果を得るために、図５に示すように、図１の浴槽注湯管路６７の途中に、流量制御装置９１を設ける構成にしても良い。給湯機の設置の場所や状態によっては、給水管５８からの給水圧力が高い時や、風呂循環管路６９が長く利用側循環ポンプ７７による浴槽６８からの循環流量が少ない時に、利用側循環ポンプ７７の回転数を制御しても前述した所定の混合温度（例えば６０℃）にできないことがある。
【００８１】
このときは、流量制御装置９１で浴槽注湯管路６７を流れる注湯量を少なくし、利用側循環ポンプ７７の回転数を制御すれば、所定の混合温度（例えば６０℃）にすることができる。このような構成にしても、図１の場合と同様な効果が得られる。
【００８２】
なお、図１及び図５では、接続口５０を利用側循環ポンプ７７の下流（吐出）側に設けた構成にしたが、接続口５０を利用側循環ポンプ７７の上流（吸入）側に設けた構成にしても良い。この場合も、図１、図５と同様の作用、効果が得られる。
【００８３】
以上は、風呂給湯混合弁６５や利用側循環ポンプ７７の回転数を制御することによって、注湯された湯と浴槽６８からの湯とが混合した後の湯の温度を、所定の混合温度（例えば６０℃）になるようにした。
【００８４】
これに対して、注湯温度を一定にし、利用側循環ポンプ７７の回転数を一定にして、注湯量を制御することによっても、同様の作用、効果が得られる。すなわち、図５に示すように、浴槽注湯管路６７の途中に、流量制御装置９１を設ける。この流量制御装置９１は浴槽注湯管路６７を流れる注湯流量を調整するもので、流路断面積（図示せず）を変えて流路抵抗を変化させることによって、注湯流量を制御する。
【００８５】
図４に示すように、注湯温度がＴ３の場合、注湯された湯と浴槽６８から循環してきた湯との混合湯量に対する注湯量の割合をＲ３とすればよい。すなわち、浴室８０に人が入ってきたら、人検知手段８１は人を検出する。
【００８６】
そして、人検知手段８１からの検出信号を受けて、制御手段８２は、入浴者が希望の風呂温度として、浴槽温度設定手段８３で設定した設定温度よりも高い所定の注湯温度の湯を注湯すると共に、浴槽６８の湯を循環させる。
【００８７】
すなわち、制御手段８２は、風呂注湯弁６６を開き、風呂給湯混合弁６５で所定の注湯温度に調整した温度で注湯し、さらに、所定の初期回転数で利用側循環ポンプ７７を駆動する。このとき、注湯された湯と利用側循環ポンプ７７で送られてきた浴槽６８の湯とが混合した後の湯の温度が、所定の混合温度（例えば６０℃）になるように、混合温度検出手段９０からの信号に基づいて、流量制御装置９１の流路断面積を調整して注湯量を制御する。
【００８８】
ここで、浴槽温度設定手段８３で設定された設定温度（例えば４０℃）近傍まで加熱するため、前記所定の混合温度（例えば６０℃）はこの設定温度（例えば４０℃）よりも高い温度であり、さらに、風呂給湯混合弁６５で混合されて注湯される湯の温度は、この所定の混合温度（例えば６０℃）よりも高い温度である。
【００８９】
そして、浴槽６８の温度を検出する浴槽温度検出手段７８が、所定の注湯終了温度（例えば、設定温度−０．５℃）に達したら、風呂注湯弁６６を閉じて注湯を終了する。さらに、制御手段８２は、熱源側循環ポンプ７６と利用側循環ポンプ７７とを駆動し、風呂追い焚きを行うとともに、浴槽温度検出手段７８で浴槽６８の温度を検出する。浴槽６８の温度が上昇し、浴槽温度設定手段８３で設定した浴槽温度から決まる風呂追い焚き終了温度（例えば、設定温度）になれば、風呂追い焚きを終了する。すなわち、制御手段８２は、熱源側循環ポンプ７６と利用側循環ポンプ７７の駆動を停止する。
【００９０】
このように、浴室８０に人が入ってきたことを検出したら、注湯を開始すると共に利用側循環ポンプ７７を駆動し、注湯流量を調整することによって、貯湯槽５７からの高温の湯と浴槽６８からの湯と適当な混合割合にしてから浴槽６８に入れるため、浴槽６８に入れる湯温を安全な温度（６０℃以下）にしても注湯温度をこの安全な温度以上の高温にできるので、注湯量を少なくすることができるため浴槽湯量の増加が少なくなり快適性の向上となる。また、貯湯槽から持ち出される高温の湯量も減るので湯切れの発生の可能性も減少し利便性の向上となる。
【００９１】
特に、給湯機の設置の場所や状態によっては、給水管５８からの給水圧力が高い時や、風呂循環管路６９が長く利用側循環ポンプ７７による浴槽６８からの循環流量が少ない時に、直接熱源となる高温の注湯流量を制御するので、より安定した制御が可能である。
【産業上の利用可能性】
【００９２】
以上のように、本発明にかかる給湯機は、人検知手段が人を検出したとき、風呂の設定温度よりも高い温度の湯を、浴槽に注湯するとともに、循環ポンプを駆動することで、浴槽の湯の増加が少なく、かつ、湯切れの発生の可能性も少なくすることができ、快適性と利便性の向上を図ることができるものである。
【符号の説明】
【００９３】
５５  ヒートポンプユニット（加熱手段）
５７  貯湯槽
５８  給水管
６５  風呂給湯混合弁
６６  風呂注湯弁
６７  浴槽注湯管路
６８  浴槽
６９  風呂循環管路
７３  風呂熱交換器
７７  利用側循環ポンプ
７８  浴槽温度検出手段
８０  浴室
８１  人検知手段
８２  制御手段
８３  浴槽温度設定手段
９１  流量制御装置
【図１】
2013064523.tif 000003
【図２】
2013064523.tif 000004
【図３】
2013064523.tif 000005
【図４】
2013064523.tif 000006
【図５】
2013064523.tif 000007
【図６】
2013064523.tif 000008